(57)【要約】【課題】本発明は、イメージ情報をインポートするシステム及びその方法を提供することを目的とする。【解決手段】本発明に係るイメージ情報をインポートする方法は、表示装置に接続された電子装置の中で動作する。パターンツールフレームを利用して広告又は映画から目標物件を選択するステップと、各々の目標物件の情報を定義して記憶するステップと、前記表示装置に前記広告又は前記映画を表示するステップと、１つの前記目標物件をタッチまたはクリックする操作を受信するステップと、記憶している情報におけるタッチまたはクリックされた目標物件の情報をインポートするステップと、前記表示装置に前記目標物件の情報を表示するステップと、を備える。本発明は、イメージ情報をインポートするシステムも提供する。【選択図】図３
2012038316.tif 000002
【特許請求の範囲】
【請求項１】
表示装置に接続された電子装置の中で動作するイメージ情報をインポートする方法であって、
パターンツールフレームを利用して広告又は映画から目標物件を選択するステップと、
各々の前記目標物件の情報を定義して記憶するステップと、
前記表示装置に前記広告又は前記映画を表示した状態で、１つの前記目標物件をタッチまたはクリックする操作を受信するステップと、
記憶している情報におけるタッチまたはクリックされた目標物件の情報をインポートするステップと、
前記表示装置に前記目標物件の情報を表示するステップと、
を備えることを特徴とするイメージ情報をインポートする方法。
【請求項２】
各々の目標物件のパターン範囲を定義するステップを備えることを特徴とする請求項１に記載のイメージ情報をインポートする方法。
【請求項３】
前記記憶することは、各々の目標物件の情報を前記電子装置に記憶するか、それとも前記広告又は前記映画のイメージタイプファイルに記憶し、前記広告は、動的広告及びプレイスメント広告を備えることを特徴とする請求項１に記載のイメージ情報をインポートする方法。
【請求項４】
前記パターンツールフレームは、長方形、円形、線条又は使用者が自分で描画する外枠を含むことを特徴とする請求項１に記載のイメージ情報をインポートする方法。
【請求項５】
前記情報は、マルチメディア情報であり、文字、音声、前記目標物件の広告ファイル、前記目標物件のホームページの中の一又は複数の組み合わせからなることを特徴とする請求項１に記載のイメージ情報をインポートする方法。
【請求項６】
表示装置に接続された電子装置の中で動作するイメージ情報をインポートするシステムであって、
パターンツールフレームを利用して広告又は映画から目標物件を選択するパターン選択モジュールと、
各々の目標物件の情報を定義する定義モジュールと、
前記目標物件及び各々の目標物件の情報を記憶する記憶モジュールと、
前記表示装置が前記広告又は前記映画を表示する際、１つの前記目標物件をタッチまたはクリックする操作を受信する受信モジュールと、
記憶している情報におけるタッチまたはクリックされた目標物件の情報をインポートするインポートモジュールと、
前記表示装置に前記目標物件の情報を表示する表示モジュールと、
を備えることを特徴とするイメージ情報をインポートするシステム。
【発明の詳細な説明】
【技術分野】
【０００１】
本発明は、広告方法に関するものであり、特にイメージ情報をインポートするシステム及びその方法に関するものである。
【背景技術】
【０００２】
現在、プロダクトプレイスメント（Ｐｒｏｄｕｃｔ  Ｐｌａｃｅｍｅｎｔ）は、広告手法の一つで、映画やテレビドラマの劇中に広く応用されており、役者に特定の商品を絡ませて、商品の価値を再解釈して、製品のイメージを高める。
【発明の概要】
【発明が解決しようとする課題】
【０００３】
しかし、従来のプロダクトプレイスメントは、以下の欠点がある。第一に、商品情報が不足している。視聴者はテレビドラマや映画のストーリーから商品情報を獲得することができず、例えば、視聴者がドラマの主役の身に着けている服について非常に興味を持っているが、この服の情報を調べることができないため、通常テレビドラマが終わってから、スポンサーの情報を調べる必要があり、このような非効率な方式により潜在する消費者を失う。第二に、ブランドの可視性は高くない。現実において、あらゆる商品が全て車のように明らかな商標を有しておらず、例えば、携帯電話、ハイヒール又は観光地は、映画の中で全て明らかな商標がなく、もしシーンはこれらの商品の商標を強調し過ぎると、かえって視聴者の反感をもたらす。第三に、現在のプロダクトプレイスメントは製品の流通経路を獲得し難い。消費者はショッピングしたくても、どこで必要とする商品を買うかを知らないので、長い時間捜し求めなければならず、従って成功的なマーケティングは、便利な商品獲得経路がないので取引することができない。
【０００４】
本発明の目的は、前記課題を解決し、従来のプロダクトプレイスメントにおける、商品情報が不足し、ブランドの可視性が高くなく、製品の流通経路を獲得し難いなどの欠点を克服することができるイメージ情報をインポートするシステム及びその方法を提供することである。
【課題を解決するための手段】
【０００５】
本発明に係るイメージ情報をインポートするシステムは、表示装置に接続された電子装置の中で動作する。パターンツールフレームを利用して広告又は映画から目標物件を選択するパターン選択モジュールと、各々の目標物件の情報を定義する定義モジュールと、前記目標物件及び各々の目標物件の情報を記憶する記憶モジュールと、前記表示装置が前記広告又は前記映画を表示する際、１つの前記目標物件をタッチまたはクリックする操作を受信する受信モジュールと、記憶している情報におけるタッチまたはクリックされた目標物件の情報をインポートするインポートモジュールと、前記表示装置に前記目標物件の情報を表示する表示モジュールと、を備える。
【０００６】
本発明に係るイメージ情報をインポートする方法は、表示装置に接続された電子装置の中で動作する。パターンツールフレームを利用して広告又は映画から目標物件を選択するステップと、各々の目標物件の情報を定義して記憶するステップと、前記表示装置に前記広告又は前記映画を表示するステップと、１つの前記目標物件をタッチまたはクリックする操作を受信するステップと、記憶している情報におけるタッチまたはクリックされた目標物件の情報をインポートするステップと、前記表示装置に前記目標物件の情報を表示するステップと、を備える。
【発明の効果】
【０００７】
従来の技術に比べて、本発明のイメージ情報をインポートするシステム及びその方法は、前記広告又は映画の中の商品に対して情報を予め定義することができて、視聴者が前記商品のイメージをタッチまたはクリックすると、対応する情報を表示して前記視聴者４が閲覧できるようにし、従来のプロダクトプレイスメントにおける、商品情報が不足し、ブランドの可視性が高くなく、製品の流通経路を獲得し難いなどの欠点を克服することができる。
【図面の簡単な説明】
【０００８】
【図１】本発明の実施形態に係るイメージ情報をインポートするシステムの動作環境を示す図である。
【図２】図１に示す電子装置の機能ブロック図である。
【図３】本発明の実施形態に係るイメージ情報をインポートする方法のフローチャートである。
【発明を実施するための形態】
【０００９】
以下、図面を参照して、本発明の実施形態について説明する。
【００１０】
図１は、本発明の実施形態に係るイメージ情報をインポートするシステムの動作環境を示す図である。前記イメージ情報をインポートするシステム１０は、電子装置１の中で動作する。前記電子装置１は、携帯電話、ノートパソコン、ＰＤＡ、卓上型コンピューター、テレビジョンなどであることができ、ストレージシステム２０及びプロセッサー３０を備える。前記電子装置１は、表示装置２を内蔵するか又は外部の表示装置２に接続する。
【００１１】
本実施形態において、前記イメージ情報をインポートするシステム１０は、ソフトウェアプログラム又は指令形式で前記ストレージシステム２０にインストールされるか、それとも前記電子装置１に記憶される。他の実施形態において、前記ストレージシステム２０は、前記電子装置１に接続される外部のメモリーであることができる。
【００１２】
前記プロセッサー３０は、前記イメージ情報をインポートするシステム１０のコードを実行し、即ちパターンツールフレームで広告又は映画から目標物件を選択して、例えば、プロダクトプレイスメントから商品のイメージを選択して目標物件として、各々の目標物件のキーワード及び情報を定義し、視聴者４が前記表示装置２に表示された目標物件をタッチまたはクリックすると、該目標物件の情報をインポートする。各々の目標物件の情報は使用者３が自分で定義する。具体的なインポートする方法は図３における詳しく説明する。なお、前記使用者３は、広告運営業者、ソフトウェア開発業者であることができる。
【００１３】
前記表示装置２は、広告又は映画を表示するために用いられ、且つタッチまたはクリックされた目標物件の情報を表示する。前記情報は、マルチメディア情報であり、文字、音声、目標物件の広告ファイル、目標物件のホームページの中の一又は複数の種類の組み合わせからなる。前記広告は、動的広告（Ｄｙｎａｍｉｃ  ａｄｖｅｒｔｉｓｅｍｅｎｔ）及びプレイスメント広告を備える。本実施形態において、前記広告はプレイスメント広告である。
【００１４】
本実施形態において、前記表示装置２は、タッチスクリーンを有し、前記視聴者４は、手又はタッチペンなどで前記広告の中の目標物件をタッチすることができる。他の実施形態において、前記電子装置１がテレビジョンである場合、前記視聴者４は、リモコンで前記電子装置１を操作することができ、前記電子装置１が携帯電話、ノートパソコン、卓上型コンピューターなどである場合、前記視聴者４は、マウス又はキーボードによって前記表示装置２に表示される目標物件又はキーワードをクリックすることができる。
【００１５】
図２は、図１に示す電子装置の機能ブロック図である。前記イメージ情報をインポートするシステム１０は、パターン選択モジュール１００と、定義モジュール１０２と、記憶モジュール１０４と、定義モジュール１０６と、インポートモジュール１０８と、表示モジュール１１０と、を備える。
【００１６】
図３は、本発明の実施形態に係るイメージ情報をインポートする方法のフローチャートである。
【００１７】
ステップＳ１において、前記パターン選択モジュール１００は、パターンツールフレームを利用して広告又は映画のイメージから目標物件を選択する。目標物件と商品は、一対一に対応する。本実施形態において、前記パターンツールフレームは、長方形、円形、線条又は使用者が自分で描画する外枠を含み、広告又は映画の中の目標物件に対してパターン範囲を設定するために用いられる。各々の目標物件のパターン範囲は、定義モジュール１０２によって定義され、即ち、使用者３は、定義モジュール１０２によって目標物件を選択するフレームの大きさを定義することができる。
【００１８】
前記定義モジュール１０２は、各々の目標物件の情報を定義する。前記情報は、マルチメディア情報であり、文字、音声、目標物件の広告ファイル、目標物件のホームページの中の一又は複数の種類の組み合わせからなる。
【００１９】
例えば、広告運営商は、前記パターン選択モジュール１００によって広告又は映画の中の主役女性のハンドバッグを選択し、且つ前記定義モジュール１０２を利用して、該ハンドバッグをキーワード「明媛復古バッグ」に定義する。前記定義モジュール１０２は、前記ハンドバッグに対して作成した広告ファイルや広告ホームページや該ハンドバッグを買うホームページなどの情報を該ハンドバッグの情報に定義する。前記記憶モジュール１０４は、各々の目標物件及び各々の目標物件の情報を前記電子装置１に記憶するか、それとも前記広告又は映画のイメージタイプファイルに記憶する。
【００２０】
前記表示装置２が広告又は映画を表示する際、ステップＳ３において、前記受信モジュール１０６は、目標物件をタッチまたはクリック操作したかどうかを判断する。もし目標物件がタッチまたはクリックされると、ステップＳ４に入り、もし目標物件がタッチまたはクリックされないと、流れを終了する。
【００２１】
具体的に説明すると、前記視聴者４が前記表示装置２に表示される広告又は映画の中の目標物件のイメージをタッチするかクリックする際、前記受信モジュール１０６は、前記タッチ操作又はクリック操作を受信して、タッチするかクリックする位置によってタッチするかクリックするパターン範囲を確定し、パターン範囲によって前記電子装置１の操作システム、広告又は映画のイメージタイプファイルから対応する目標物件を検索する。ここで、該目標物件は、タッチまたはクリックされた目標物件である。例えば、前記視聴者４が広告又は映画の中の主役女性のハンドバッグに興味を持っている場合、手又はタッチペンで前記表示装置２に表示されるハンドバッグをタッチする。
【００２２】
ステップＳ４において、前記インポートモジュール１０８は、前記電子装置１又は前記広告又は映画のイメージタイプファイルからタッチまたはクリックされた目標物件の情報をインポートする。
【００２３】
ステップＳ５において、前記表示モジュール１１０は、前記表示装置２にタッチまたはクリックされた目標物件の情報を表示する。例えば、前記表示モジュール１１０は、前記表示装置２に検索されたハンドバッグに対して作成した広告ファイルや広告ホームページや該ハンドバッグを買うホームページなどの情報を表示して、前記視聴者４が閲覧できるようにする。
【００２４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２５】
１  電子装置
２  表示装置
３  使用者
４  視聴者
１０  イメージ情報をインポートするシステム
２０  ストレージシステム
３０  プロセッサー
１００  パターン選択モジュール
１０２  定義モジュール
１０４  記憶モジュール
１０６  受信モジュール
１０８  インポートモジュール
１１０  表示モジュール
【図１】
2012038316.tif 000003
【図２】
2012038316.tif 000004
【図３】
2012038316.tif 000005